(57)【要約】
【課題】利便性に優れつねに適正機能を確保する釣り竿グリップのグリップリングおよびその釣り竿を提供する。
【解決手段】グリップリング１は、釣り竿１０のグリップ１２の先端部に配設される。外周部に複数の小孔２が穿設され、小孔２にフックもしくは針を掛止し得る。中央部にロッド１１が貫通する挿通孔が形成されたボス部を有し、このボス部周囲が凹状に成形される。小孔２に挿通したフックはその先端部付近が、ボス部周囲の凹状内に入るように掛止される。リリースされたルアー等のフックを小孔２に掛止することで、該ルアーをグリップ先端部に保持するフックキーパー機能を有し、グリップ所定部位にルアーを適正かつ的確に保持することができる。
【選択図】       図１
0003101142.tif 000002
【実用新案登録請求の範囲】
【請求項１】
釣り竿のグリップ適所に設けられるグリップリングであって、
前記グリップの先端部に配設されるとともに、その外周部に複数の小孔が穿設され、この小孔にフックもしくは針を掛止し得るようにしたことを特徴とする釣り竿グリップのグリップリング。
【請求項２】
中央部に釣り竿ロッドが貫通する挿通孔が形成されたボス部を有し、このボス部周囲を凹状に成形したことを特徴とする請求項１に記載の釣り竿グリップのグリップリング。
【請求項３】
前記小孔に挿通した前記フックはその先端部付近が、前記ボス部周囲の凹状内に入るように掛止されることを特徴とする請求項２に記載の釣り竿グリップのグリップリング。
【請求項４】
釣り竿ロッドを支持するグリップを備えた釣り竿であって、
前記グリップの先端部にグリップリングが配設されるとともに、該グリップリングの外周部に複数の小孔が穿設され、この小孔にフックもしくは針を掛止し得るようにしたことを特徴とする釣り竿。
【請求項５】
前記グリップリングの中央部に前記釣り竿ロッドが貫通する挿通孔が形成されたボス部を有し、このボス部周囲を凹状に成形したことを特徴とする請求項４に記載の釣り竿。
【請求項６】
前記小孔に挿通した前記フックはその先端部付近が、前記ボス部周囲の凹状内に入るように掛止されることを特徴とする請求項５に記載の釣り竿。
【考案の詳細な説明】
【技術分野】
【０００１】
本考案は、釣り竿のグリップ適所、典型的にはそのグリップ先端部位に取り付けられるフックキーパー機能を有するグリップリングおよびその釣り竿に関するものである。
【背景技術】
【０００２】
たとえばルアー釣り等において、グリップを握ってロッドを操作し、所望のルアーアクションを行なわせる。グリップの所定部位にはリールが搭載され、リールから繰り出される釣り糸（ライン）の先端にはルアーが取り付けられる。その場合たとえばラインは、ロッドに沿って適当な間隔で設けられたラインガイドによってガイドされ、ルアーを先端のラインガイドからリリースするようにしている。
【考案の開示】
【考案が解決しようとする課題】
【０００３】
一旦リリースされたルアーを釣りの途中等で保持しておきたい場合があり、従来ではたとえば、いずれかのラインガイドあるいはリールを利用して、ルアーのフック（針）をそれらの適所に引っ掛けるようにしていた。しかしながら、ルアーのフックを引っ掛けておくためにその都度、適当な場所（物）を見つけなければならず、手間がかかるばかりか、必ずしも十分な保持性を確保することができない、すなわち外れることがある。
【０００４】
本考案はかかる実情に鑑み、利便性に優れつねに適正機能を確保する釣り竿グリップのグリップリングおよびその釣り竿を提供することを目的とする。
【課題を解決するための手段】
【０００５】
本考案の釣り竿グリップのグリップリングは、釣り竿のグリップ適所に設けられるグリップリングであって、前記グリップの先端部に配設されるとともに、その外周部に複数の小孔が穿設され、この小孔にフックもしくは針を掛止し得るようにしたことを特徴とする。
【０００６】
また、本考案の釣り竿グリップのグリップリングにおいて、中央部に釣り竿ロッドが貫通する挿通孔が形成されたボス部を有し、このボス部周囲を凹状に成形したことを特徴とする。
【０００７】
また、本考案の釣り竿グリップのグリップリングにおいて、前記小孔に挿通した前記フックはその先端部付近が、前記ボス部周囲の凹状内に入るように掛止されることを特徴とする。
【０００８】
また、本考案の釣り竿は、釣り竿ロッドを支持するグリップを備えた釣り竿であって、前記グリップの先端部にグリップリングが配設されるとともに、該グリップリングの外周部に複数の小孔が穿設され、この小孔にフックもしくは針を掛止し得るようにしたことを特徴とする。
【０００９】
また、本考案の釣り竿において、前記グリップリングの中央部に前記釣り竿ロッドが貫通する挿通孔が形成されたボス部を有し、このボス部周囲を凹状に成形したことを特徴とする。
【００１０】
また、本考案の釣り竿において、前記小孔に挿通した前記フックはその先端部付近が、前記ボス部周囲の凹状内に入るように掛止されることを特徴とする。
【００１１】
本考案では典型的には、グリップリングはグリップの先端部に配設され、リリースされたルアー等のフックを小孔に掛止することで、該ルアーをグリップ先端部に保持することができる。
【考案の効果】
【００１２】
本考案によれば、グリップリングが所謂フックキーパー機能を有し、グリップ所定部位にルアーを適正かつ的確に保持することができる。このように専用のフックキーパーを持つことで利便性に優れ、使い易く使用性にも優れている。
【考案を実施するための最良の形態】
【００１３】
以下、本考案による釣り竿グリップのグリップリングおよびその釣り竿の好適な実施の形態について、添付図面に基づいて詳細に説明する。
図１は、この本考案に係る釣り竿のグリップまわりを示している。釣り竿１０は、ロッド１１とその基端側を支持するグリップ１２からなる。ロッド１１はたとえばカーボン素材により、またグリップ１２は概して、たとえばＥＶＥ樹脂あるいはコルク素材により形成される。
【００１４】
なお、図２に示されるようにロッド１１に沿って適当な間隔で複数のラインガイド１３が取り付けられ、リール１００から繰り出されたライン（図示せず）はラインガイド１３によってガイドされる。そのラインに結合されたルアーは、先端のラインガイド１３からリリースされるようになっている。
【００１５】
グリップ１２はフロントグリップ１４およびリヤグリップ１５からなり、フロントグリップ１４のリールシート部１６には図１（ｂ）に示されるようにリール１００が搭載される。ロッド１１の基端部１１ａは、図１（ａ）に示されるようにフロントグリップ１４を貫通して、リヤグリップ１５の途中適所まで延出し、フレーム１７に嵌着する。また、フレーム１７はフロントグリップ１４の途中適所まで延出する。リヤグリップ１５Ａは内部のネジ部を介してフレーム１７の外周部と螺着しており、その螺合回転によってスクリューフード１８を付勢し、これによりリール１００の取付部１００ａをリールシート部１６に締着固定する。
【００１６】
本考案では特にグリップ１２の先端部にグリップリング１が配設される。前述のように典型的にはＥＶＥ樹脂あるいはコルク等の軟質素材により形成されるグリップ１２は、そのままで先端部が欠損し易くなるため、グリップリング１を設けることでそのような欠損等を防止することができる。この例では図１に示されるようにグリップリング１は、フロントグリップ１４の先端に取り付けられ、後述するようにルアー等のフックを掛止するフックキーパー機能を有する。
【００１７】
図３および図４は、グリップリング１の具体的構成例を示している。グリップリング１はアルミニウム、ステンレス、真鍮その他の金属や、カーボン、ケプラーなどの合成繊維あるいは合成樹脂等を用いて、概略肉厚の円板状に形成され、フロントグリップ１４の先端面に接着固定される。グリップリング１の外周部からは半径方向に沿って、複数（この例では６つ）の小孔２が穿設される。図示例では、各小孔２は長穴となっているが、円形であってもよく、図４に示したようにリール１００から繰り出されたライン１０１に結合したルアー２００のフック２０１を掛止し得るようになっている。
【００１８】
グリップリング１の中央部には、ロッド１１が貫通する挿通孔３が形成されたボス部４を有し、このボス部４の周囲を凹状に成形してなる凹部５が形成される。凹部５の外周側部分はテーパ状に成形され、この部分に小孔２が開口する。なお、このテーパの強さ等は必要に応じて設定可能である。凹部５をテーパ状に成形することで、グリップリング１の外周部を比較的薄肉にしてルアー２００のフック２０１を引っ掛け易くするとともに、グリップリング１全体の剛性強度を確保することができる。
【００１９】
釣り竿１０の実使用において、リリースされたルアー２００を釣りの途中等で保持しておきたい場合、図４のようにルアー２００のフック２０１をグリップリング１のいずれかの小孔２に挿通して引っ掛ける。この場合、小孔２に挿通したフック２０１の先端部付近が、ボス部４周囲の凹部５内に入るように掛止され、これによりルアー２００をフロントグリップ１４の先端に保持することができる。
【００２０】
このようにグリップリング１がフックキーパー機能を有し、上記のように掛止されたルアー２００をグリップ所定部位に適正かつ的確に保持することができる。ここで、グリップリング１は、前述したように軟質素材により形成されるフロントグリップ１４の欠損防止機能を有するが、それに加え実質的に専用のフックキーパーを持つことで高い利便性を実現するとともに、使い易く使用性にも優れている。
【００２１】
なお、本考案の好適な実施形態を説明したが、本発明は上述した実施形態にのみ限定されるものではなく、必要に応じて適宜変更等が可能である。
たとえば、グリップリング１の小孔２の個数あるいはその具体的形状等については、適宜変更可能である。また、グリップリング１と実質的に同等な構成のものを、フロントグリップ１４の先端以外の途中適所（リール１００よりも先端部寄りが好ましい）に配設してもよく、いずれの場合も同様な作用効果を得ることができる。
【図面の簡単な説明】
【００２２】
【図１】本考案の実施形態に係る釣り竿のグリップまわりを示す平面図および側面図である。
【図２】本考案の実施形態に係る釣り竿の側面図である。
【図３】本考案の実施形態におけるグリップリングまわりの側面図および正面図である。
【図４】図３（ｂ）のＡ−Ａ線に沿う断面図である。
【符号の説明】
【００２３】
１  グリップリング
２  小孔
３  挿通孔
４  ボス部
５  凹部
１０  釣り竿
１１  ロッド
１２  グリップ
１４  フロントグリップ
１５  リヤグリップ
１６  リールシート部
１７  フレーム
【図１】
0003101142.tif 000003
【図２】
0003101142.tif 000004
【図３】
0003101142.tif 000005
【図４】
0003101142.tif 000006